(57)【要約】【課題】コンクリートの乾燥状態を精度良く把握して、コンクリートの品質低下を防止できるコンクリート舗装の養生用散水装置を提供する。【解決手段】コンクリート舗装の養生用散水装置は、舗設したコンクリート版１の含水量と相関する含水量情報を検出するセンサ２と、コンクリート版１に散水を行う散水装置４と、センサ２が検出した前記コンクリート版１の前記含水量情報に基づいて散水装置３を作動させる制御装置４と、を備える。【選択図】  図１
2015165073.tif 000002
【特許請求の範囲】
【請求項１】
舗設したコンクリート版の含水量情報を検出するセンサと、
前記コンクリート版に散水を行う散水装置と、
前記センサが検出した前記含水量情報に基づいて前記散水装置を作動させる制御装置と、
を有するコンクリート舗装の養生用散水装置。
【請求項２】
前記センサは、前記含水量情報として前記コンクリート版の静電容量を検出する請求項１に記載のコンクリート舗装の養生用散水装置。
【請求項３】
前記センサは、コンクリート版の表面に接触する一対の電極板と、前記一対の電極板を所定間隔離間した状態で連結する絶縁板と、前記一対の電極板の間に所定電圧を印可する電源と、を有し、前記一対の電極板の間の静電容量を検出する請求項２に記載のコンクリート舗装の養生用散水装置。
【請求項４】
前記散水装置は、前記制御装置から無線送信された作動信号を受信して作動する請求項１〜３のいずれか１つに記載のコンクリート舗装の養生用散水装置。
【請求項５】
前記散水装置は、水を圧送するポンプと、前記ポンプに接続されるとともに複数の散水用孔が形成されて前記ポンプにより圧送された水を前記散水用孔を介して散水する散水用ホースと、を有し、
前記散水用孔の直径は、０．１ｍｍ〜２ｍｍである請求項１〜４のいずれか１つに記載のコンクリート舗装の養生用散水装置。
【発明の詳細な説明】
【技術分野】
【０００１】
本発明は、養生用散水装置に関し、特に、舗設したコンクリート版の含水量情報に基づいて散水を行う養生用散水装置に関する。
【背景技術】
【０００２】
コンクリートの湿潤養生技術として、例えば、特許文献１に記載の湿潤養生技術が知られている。特許文献１に記載の湿潤養生技術は、コンクリートの表面の乾燥状態（湿潤状態）を検出して、コンクリート表面が乾燥していると判定した際にコンクリートに散水を行う。
【先行技術文献】
【特許文献】
【０００３】
【特許文献１】特開２０１１−１５３４９７号公報
【発明の概要】
【発明が解決しようとする課題】
【０００４】
上記従来の技術は、コンクリートの表面の乾燥状態を非接触式の赤外線センサを用いて検出している。しかし、コンクリートの乾燥状態は、表面と内部とで異なる場合がある。このため、上記従来の技術は、コンクリートの乾燥状態を精度良く把握しているとは言えず、適切な散水が行われずにクラックの発生等によるコンクリートの品質低下を招くおそれがある。
【０００５】
そこで、本発明は、コンクリートの乾燥状態を精度良く把握して、コンクリートの品質低下を防止できるコンクリート舗装の養生用散水装置を提供することを目的とする。
【課題を解決するための手段】
【０００６】
本発明による、コンクリート舗装の養生用散水装置は、舗設したコンクリート版の含水量情報を検出するセンサと、前記コンクリート版に散水を行う散水装置と、前記センサが検出した前記含水量情報に基づいて前記散水装置を作動させる制御装置と、を備えるものである。
【発明の効果】
【０００７】
本発明によれば、コンクリート版の含水量情報を検出し、検出した含水量情報に基づいて散水装置を作動させるので、コンクリート版の乾燥状態を把握した上で適切な散水を行え、コンクリート版の品質を向上させることができる。
【図面の簡単な説明】
【０００８】
【図１】本発明の実施形態によるコンクリート舗装の養生用散水装置を示す図である。
【図２】本発明の実施形態による、コンクリート版に載置されたセンサ及び制御装置の概略構成を示す図である。
【図３】本発明の実施形態において、センサが検出した含水量情報に対応してコンクリート版の乾燥状態を表示可能な表示装置を示す図である。
【発明を実施するための形態】
【０００９】
以下、添付図面を参照して本発明の実施形態について説明する。
図１は、本発明の一実施形態によるコンクリート舗装の養生用散水装置を示している。養生用散水装置は、舗設したコンクリート版１の養生のためにコンクリート版１に散水を行うものであり、コンクリート版１に載置されたセンサ２と、コンクリート版１に散水を行う散水装置３と、散水装置３を作動させる制御装置４と、を有する。
【００１０】
コンクリート版１は、例えば、空港の駐機場、滑走路及び誘導路、湾港や工場などの機械ヤード、一般の道路などに適用されるコンクリート舗装に用いられるものである。このコンクリート版１は、コンクリート舗装を行う路盤上に、コンクリートを敷き均し、締固め、形成を行うことなどにより舗設される。その後の養生工程において、コンクリート版１がセンサ２を載置可能な程度に硬化した後に、コンクリート版１の上にセンサ２が載置され、さらにその上から養生シート９（図１には図示されていない）でコンクリート版１の表面が覆われる。そして、コンクリート版１の近傍に散水装置３が載置され、散水装置３がコンクリート版１の表面を覆った養生シート９の上から散水して、コンクリート版１の養生が行われる。
【００１１】
センサ２は、コンクリート版１の含水量情報を検出する。含水量情報は、コンクリート版１の含水量（含水比、含水率を含む）又はこれに相関する値であり、コンクリート版１の乾燥状態（湿潤状態）を示している。本実施形態において、センサ２は、含水量情報として静電容量を検出する。コンクリート版１の含水量によって、コンクリート版１の静電容量は変化する、即ち、コンクリート版１の含水量とコンクリート版１の静電容量とは相関している。このため、本発明に係るコンクリート舗装の養生用散水装置では、センサ２でコンクリート版１の静電容量を検出することにより、コンクリート版１の含水量、即ちコンクリート版１の表面だけでなくコンクリート版１の内部を含めた全体の乾燥状態を把握することが可能である。ここで、本実施形態において、センサ２は、静電容量を検出しているが、コンクリート版１の含水量に応じて変化する他の電気特性（例えば電気抵抗）を検出してもよい。また、電気特性以外の他の検出可能な含水量情報を検出してもよい。
【００１２】
散水装置３は、発電機５と、散水用の水を収容するタンク６と、発電機５と電気的に接続され、タンク６に収容された散水用の水を圧送するポンプ７と、ポンプ７と接続されて、散水用の水を散水する散水用ホース８と、を有する。
【００１３】
発電機５は、制御装置４と無線通信可能に接続されており、これにより、制御装置４と散水装置３との無線接続が実現される。また、発電機５は、無線信号を受信可能なアンテナ５１を有する。
【００１４】
タンク６は、水又は液体を収容できる任意のタンクであってよい。また、コンクリート版１の養生工程における散水量を考慮して適切な容量を有するものが選択される。例えば、タンク６は、養生工程における散水量全てを収容できるものでもよいし、全てを収容可能でなくとも途中で水を補給されて養生工程における散水を十分満足させるものであってもよい。さらに、このタンク６に変えて、水道設備から直接散水用の水が供給されてもよい。
【００１５】
ポンプ７は、散水用の水を収容するタンク６内に設置される。このポンプ７による水の圧送は、コンクリート版１に略均一に散水できる適切な圧力で行われる。その圧力は、散水対象となるコンクリート版１の大きさ、もしくは後述の散水用ホース８の種類、規格等により適宜変更できるようにしてもよい。このようなポンプ７に変えて、例えば、水道の蛇口等の給水設備から水を受け入れ、その受け入れた水を適切な圧力に加圧して散水用ホース８に圧送できる装置が用いられてもよい。
【００１６】
散水用ホース８は、複数の散水用孔が形成されてポンプ７により圧送された水を散水用孔を介して散水する。この散水用ホース８は、コンクリート版１に略均一に散水できるように、例えば、コンクリート版１に等間隔で設置され、散水用の水を霧状に散水することができる。具体的には、この散水用ホース８は、散水用ホース８内の水圧が略一定となるように一部が閉塞され、長手方向に複数の散水用孔が所定間隔で穿孔されて１以上の穿孔列数が形成され。この散水用孔の直径は、０．１ｍｍ〜２ｍｍである。なお、散水用ホース８としては、市販の農業用ホースなどを利用することも可能である。
【００１７】
制御装置４は、センサ２と電気的に接続され、センサ２が検出したコンクリート版１の含水量情報、即ち、本実施形態では静電容量に基づいて、散水装置３に散水装置３を作動させる作動信号及び散水装置３を停止させる停止信号を送信する。
【００１８】
図２は、本発明の実施形態による、コンクリート版１上に載置されたセンサ２及び制御装置４の概略構成を示す。この図を参照して、さらに具体的にセンサ２及び制御装置４について説明する。コンクリート版１は、センサ２が載置され、さらにその上から養生シート９で覆われる。
【００１９】
センサ２は、接触式のセンサであり、舗設したコンクリート版１の表面に接触する一対の電極板２１と、その一対の電極板２１を所定間隔離間した状態で連結する矩形形状の絶縁体２２と、一対の電極板２１に所定電圧（例えば、５Ｖ）のパルスを印可する蓄電池２３と、を有する。また、電極板２１を所定間隔離間することにより、センサ２で検出されるコンクリート版１の静電容量が、極板間距離ではなく、コンクリート版１の含水量により変化するものとなり、コンクリート版１の含水量を静電容量により算出することができる。そして、センサ２は、舗設したコンクリート版１の表面に一対の電極板２１が接触し、コンクリート版１の離間した２点間の静電容量を検出する。ここで、蓄電池２３が、一対の電極板２１の間に所定電圧を印可する電源の一例として挙げられる。
【００２０】
一対の電極板２１の下面、即ち、コンクリート版１の表面に接触する下面には、コンクリート版１との接触を確実ならしめるため、例えば、導電スポンジなどの導電性を有する弾性体２４がそれぞれ取り付けられる。電極板２１への弾性体２４の取り付けは、例えば、導電性を有する両面テープ、接着剤などの固定手段を使用することができる。電極板２１の下面に弾性体２４を取り付けることで、例えば、コンクリート版１の表面に微小な凹凸があっても、弾性体２４が弾性変形して密着することから、離間した２点間の静電容量の検出精度を向上させることができる、なお、弾性体２４は、耐熱性を有する部材を使用することが望ましく、また、劣化を伴うため、交換可能とすることが望ましい。
【００２１】
制御装置４は、例えば、マイクロコンピュータ、電子回路などにより構成され、センサ２の蓄電池２３から電力を供給されて作動する。また、制御装置４は、第１の閾値と第２の閾値の設定が可能であり、センサ２により検出された静電容量が第１の閾値以下である場合には作動信号を、静電容量が第２の閾値以上である場合には停止信号を散水装置３に無線送信する。なお、制御装置４は、蓄電池２３とは異なる電源により作動してもよい。
【００２２】
次に、図１を再び参照して、上記実施形態によるコンクリート舗装の養生用散水装置の動作について説明する。
まず、コンクリート版１上に載置されたセンサ２は、コンクリート版１の含水量情報としてコンクリート版１の静電容量を検出する。次に、制御装置４は、センサ２が検出した静電容量を読み出して、読み出した値が第１の閾値以下である場合に散水装置３に当該散水装置３を作動させる作動信号を無線送信する。そして、散水装置３は、制御装置４から無線送信された作動信号を受信して作動する。
【００２３】
散水装置３の作動は、具体的には、発電機５が制御装置４から作動信号をアンテナ５１を介して受信する。発電機５は、制御装置４からの作動信号を受信すると稼働して発電を行い、ポンプ７に電力を供給する。ポンプ７は、発電機５により供給された電力で作動し、タンク６に収容された散水用の水を散水用ホース８に向けて十分な圧力で圧送する。圧送された散水用の水が、散水用ホース８に設けられた散水用の孔からコンクリート版１に略均一に散水される。
【００２４】
その後、制御装置４は、センサ２から読み出した静電容量が第２の閾値を超える場合に散水装置３に当該散水装置３を停止させる停止信号を無線送信する。散水装置３は、制御装置４から無線送信された停止信号を受信して作動を停止する。具体的には、発電機５が制御装置４から停止信号をアンテナ５１を介して受信する。そして、発電機５は、停止信号を受信すると稼働を停止してポンプ７への電力の供給を停止する。これにより、ポンプ７の散水用ホース８への水の圧送が停止し、コンクリート版１への散水が停止する。このほかに、散水装置３が一定時間散水したときに、発電機５が停止して、コンクリート版１への散水を停止させてもよい。
【００２５】
この実施形態においては、制御装置４は、検出された静電容量が第１の閾値以下であるときに散水装置３に作動信号を送信したが、静電容量の変化の量を検出して、その変化の量が一定水準を超えたときに作動信号を送信してもよい。具体的には、制御装置４は、センサ２が最初に検出したコンクリート版１の静電容量を記憶し、その記憶した最初に検出した静電容量と、直近にセンサ２が検出したコンクリート版１の静電容量と、を比較して、直近の静電容量が最初に検出した静電容量に対して所定の割合以下になったときに散水を行うために散水装置３に作動信号を送信することができる。
【００２６】
図３は、本発明の実施形態において、センサ２が検出した含水量情報に対応してコンクリート版１の乾燥状態を表示可能な表示装置１０を示している。この表示装置１０は、上記実施形態の構成に追加されうる。
【００２７】
この表示装置１０は、シグナルタワー１１と、そのシグナルタワー１１を支持する三脚１２と、を有する。シグナルタワー１１は、舗設されたコンクリート版１の含水量情報を、例えば、赤ランプ（乾燥状態）、黄ランプ（低湿潤状態）、青／緑ランプ（湿潤状態）の３段階で表示する。これにより、作業者がコンクリート版１の乾燥状態を視覚的に確認することができる。ここで、シグナルタワー１１は、消費電力を低減するために、ＬＥＤ（Light Emitting Diode）を使用したものであってもよい。なお、コンクリート版１の含水量情報は、赤ランプ、黄ランプ、緑／青ランプの３段階に限らず、少なくとも、乾燥状態であるか否かを報知可能な２段階以上で報知すればよい。
【００２８】
三脚１２には、ソーラーパネル１３が取り付けられる。このソーラーパネル１３は、太陽からの光エネルギーを受けて発電し、図示しないインバータを介して、発電された電力が蓄電池２３に蓄電される。このため、発電機、商用電源などの外部電源がない場所であっても、センサ２，制御装置４及び表示装置１０を長時間に亘って作動させることができる。なお、ソーラーパネル１３及びインバータが、太陽からの光エネルギーを受けて発電する太陽光発電装置の一例として挙げられる。また、図３に示されているように、三脚１２に、カラビナ等で連結されたチェーンにより、制御装置４及び蓄電池２３が内蔵された制御ボックス１４が着脱可能に吊り下げられる。このようにすれば、三脚１２の下部に重量物が位置し、その重心が低くなるため、例えば、風などの外力が作用しても、表示装置１０が倒れ難くすることができる。
【００２９】
このように、表示装置１０をセンサ２及び制御装置４に接続してコンクリート版１の乾燥状態を作業者が視覚的に確認可能とすることにより、養生用散水装置による散水の他、作業者が当該表示装置１０によりコンクリート版１の乾燥状態を確認して散水を行うことができる。このようにして、散水の遅れによるクラックの発生等のコンクリート版１の品質低下をより確実に防止することができる。
【００３０】
本実施形態では、散水装置３と制御装置４とは無線通信可能に接続されているが、有線で接続されて、その有線接続により作動信号及び停止信号の送受信を行ってもよい。
【００３１】
本明細書において、静電容量は、正確な静電容量だけではなく、センサによって検出された電流値、電圧値、電荷量等により算出された静電容量の近似値、予測値を含む。
【符号の説明】
【００３２】
１・・・コンクリート版、２・・・センサ、３・・・散水装置、４・・・制御装置、７・・・ポンプ、８・・・散水用ホース
【図１】
2015165073.tif 000003
【図２】
2015165073.tif 000004
【図３】
2015165073.tif 000005